(57)【要約】【課題】内箱と外箱との間の空間からの発泡断熱材の漏出を防止しつつガス抜きをすることができ、仮に漏出が生じても、漏出した発泡断熱材を容易に除去できる構造を有する断熱箱体を提供する。【解決手段】断熱箱体は、内箱と、貫通孔と前記貫通孔を覆う切り起こし部とが設けられた金属板を有する外箱と、前記内箱と前記外箱との間に充填された発泡断熱材とを備える。【選択図】図３Ａ
2019007673.tif 000002
【特許請求の範囲】
【請求項１】
内箱と、
貫通孔と前記貫通孔を覆う切り起こし部とが設けられた金属板を有する外箱と、
前記内箱と前記外箱との間に充填された発泡断熱材とを備える、
断熱箱体。
【請求項２】
前記切り起こし部は、対向する一対の面が切断面となっている帯状部を有する、
請求項１に記載の断熱箱体。
【請求項３】
前記帯状部は前記帯状部の両端を介して前記金属板に接続されている、
請求項２に記載の断熱箱体。
【請求項４】
前記金属板には、前記貫通孔が複数設けられており、
前記金属板には、複数の前記貫通孔それぞれを覆う複数の前記切り起こし部が設けられている、
請求項１乃至３のいずれかに記載の断熱箱体。
【請求項５】
前記金属板には、前記金属板上の所定点を取り囲むように、複数の前記貫通孔が設けられており、
複数の前記切り起こし部は、前記金属板に対して傾斜する傾斜面を有し、
各傾斜面は、それぞれ、前記所定点から放射状に広がる互いに異なる方向を向いている、
請求項４に記載の断熱箱体。
【請求項６】
前記金属板には、正多角形の辺に沿うように、複数の前記貫通孔が設けられており、
複数の前記切り起こし部は、前記金属板に対して傾斜する傾斜面を有し、
各傾斜面は、それぞれ、前記正多角形の辺に沿った方向を向いている、
請求項４に記載の断熱箱体。
【発明の詳細な説明】
【技術分野】
【０００１】
本発明は断熱箱体に関し、特に、冷蔵庫、保冷庫及びフリーザ等の冷凍装置に用いられる断熱箱体に関する。
【背景技術】
【０００２】
従来、冷凍装置等に用いられる断熱箱体は、内箱と、外箱と、それらの間に充填された発泡断熱材とから構成されている。
【０００３】
内箱と外箱との間の空間内にガス溜まりができると、その部分に発泡断熱材を充填することができない。また、内箱と外箱との間の空間内の圧力が高くなりすぎると、発泡断熱材の中にボイドが発生する。これらの現象が生じると、断熱箱体の断熱性能が低下する。
【０００４】
そこで、従来、例えば特許文献１及び特許文献２に開示されているように、内箱又は外箱には、内箱と外箱との間の空間内から、発泡断熱材の充填時に発生するガスや空気を抜くためのガス抜き孔が設けられている。
【０００５】
また、これらのガス抜き孔から発泡断熱材が漏出すると見栄えが悪いので、これらの文献に開示された断熱箱体においては、漏出対策も施されている。
【先行技術文献】
【特許文献】
【０００６】
【特許文献１】特開２０１５−１３２９号公報
【特許文献２】特許第２７８３０９６号公報
【発明の概要】
【発明が解決しようとする課題】
【０００７】
しかしながら、特許文献１に開示された断熱箱体は、ガス抜き孔周辺の構造が複雑なものとなっている。よって、この断熱箱体は、製造コストが高いという問題を有している。
【０００８】
また、特許文献２に開示された断熱箱体は、カバーによって覆い隠される部分にガス抜き孔が設けられている。よって、発泡断熱材の漏出量が少なければ、カバーで覆い隠すことができる。但し、漏出量が多くなると、漏出した発泡断熱材を除去しなければカバーを取り付けることができない。
【０００９】
ところが、特許文献２に開示された断熱箱体においては、ガス抜き孔は板状体の凹部の底に設けられている。そのため、漏出した発泡断熱材の除去には手間がかかる。
【００１０】
本発明はこのような状況に鑑みなされたものであり、内箱と外箱との間の空間からの発泡断熱材の漏出を防止しつつガス抜きをすることができ、仮に漏出が生じても、漏出した発泡断熱材を容易に除去できる構造を有する断熱箱体を提供することを課題とする。
【課題を解決するための手段】
【００１１】
本発明に係る断熱箱体は、内箱と、貫通孔と前記貫通孔を覆う切り起こし部とが設けられた金属板を有する外箱と、前記内箱と前記外箱との間に充填された発泡断熱材とを備える。
【発明の効果】
【００１２】
本発明によれば、内箱と外箱との間の空間からの発泡断熱材の漏出を防止しつつガス抜きをすることができ、仮に漏出が生じても、漏出した発泡断熱材を容易に除去できる構造を有する断熱箱体を提供することが可能である。
【図面の簡単な説明】
【００１３】
【図１Ａ】断熱箱体正面図
【図１Ｂ】図１ＡのＩ−Ｉ矢視断面図
【図２Ａ】第１の実施形態の切り起こし部の平面図
【図２Ｂ】第１の実施形態の切り起こし部の正面図
【図２Ｃ】第１の実施形態の切り起こし部の右側面図
【図２Ｄ】図２Ｂ中のＩＩ−ＩＩ矢視断面図
【図３Ａ】第１の実施形態の切り起こし部の配置例を示す斜視図
【図３Ｂ】第１の実施形態の切り起こし部の他の配置例を示す斜視図
【図３Ｃ】第１の実施形態の切り起こし部の更に他の配置例を示す斜視図
【図４】第２の実施形態の切り起こし部の配置例を示す斜視図
【図５】第３の実施形態に係る切り起こし部の斜視図
【図６】第４の実施形態に係る切り起こし部の配置例を示す斜視図
【図７】第５の実施形態に係る切り起こし部の配置例を示す斜視図
【発明を実施するための形態】
【００１４】
以下、本発明の実施形態について、図面を参照して詳細に説明する。なお、以下に説明する実施形態は例示に過ぎず、本発明はこれらの実施形態により限定されるものではない。
【００１５】
図１Ａは、本発明に係る断熱箱体１００の正面図である。図１Ｂは図１Ａ中のＩ−Ｉ矢視断面図であり、図１Ａよりも縮尺が拡大されている。断熱箱体１００は、開閉可能な扉（不図示）等が取り付けられ、フリーザ等の冷凍装置を構成する。
【００１６】
断熱箱体１００は前側に開口１０１を有している。また、断熱箱体１００は、内箱１１０と、内箱１１０を取り囲む外箱１２０と、内箱１１０と外箱１２０との間に充填された発泡断熱材１３０とを有する。
【００１７】
内箱１１０は、樹脂板、金属板又はそれらの組み合わせで構成されている。
【００１８】
外箱１２０は、天板１２１、背板１２２、底板１２３及び左右一対の側板１２４で構成されている。これらの板は、樹脂板、金属板又はそれらの組み合わせで構成されている。但し、少なくとも、後に説明する切り起こし部２００が設けられる部分は、鋼板等の金属板によって構成されている。
【００１９】
発泡断熱材１３０は、外箱１２０に設けられた図示しない供給口から、内箱１１０と外箱１２０との間の空間に液状で供給され、当該空間内で発泡しながら膨らんで充填される。発泡断熱材１３０は例えばポリウレタンフォームである。
【００２０】
内箱１１０と外箱１２０との間の空間内にガス溜まりができると、その部分には発泡断熱材１３０が充填されない。また、内箱１１０と外箱１２０との間の空間内の圧力が高くなりすぎると、発泡断熱材１３０内にボイドが形成される。これらの不具合の発生を防ぐため、外箱１２０には、内箱１１０と外箱１２０との間の空間から発泡断熱材１３０から発生するガスや、もともと当該空間に存在していた空気を外部に排出するための貫通孔Ｈが設けられている。
【００２１】
なお、発泡断熱材１３０によって貫通孔Ｈが塞がれると、貫通孔Ｈはガスや空気を外部に排出できなくなる。また、発泡断熱材１３０は下から上に向かって膨らみながら進行する。よって、貫通孔Ｈは、天板１２１、背板１２２の上側、又は、側板１２４の上側に設けることが好ましい。
【００２２】
貫通孔Ｈは、外箱１２０から内箱１１０に向けて突出する切り起こし部２００によって、内箱１１０と外箱１２０との間の空間側から覆われている。
【００２３】
図２Ａは切り起こし部２００の平面図、図２Ｂは切り起こし部２００の正面図（内箱１１０側から見た図）、図２Ｃは切り起こし部２００の右側面図、図２Ｄは図２Ｂ中のＩＩ−ＩＩ矢視断面図である。切り起こし部２００は、外箱１２０を構成する金属板１２に対するプレス加工によって容易に形成することができる。
【００２４】
切り起こし部２００は、帯状部２１１と接続部２１２とから構成されている。
【００２５】
帯状部２１１は、切り起こし部２００が形成された金属板１２から、金属板１２と平行に、内箱１１０側に向けて突出している。帯状部２１１の両端はそれぞれ接続部２１２に接続されている。接続部２１２は帯状部２１１と金属板１２とを接続している。すなわち、帯状部２１１は、帯状部２１１の両端を介して金属板１２に接続されている。帯状部２１１及び接続部２１２は、対向する一対の側面が互いに平行な切断面２２０Ａ及び切断面２２０Ｂとなっている。
【００２６】
帯状部２１１及び接続部２１２と金属板１２との間には、隙間２３０が形成されている。
【００２７】
内箱１１０と外箱１２０との間の空間は、隙間２３０及び貫通孔Ｈを介して外部と連通している。よって、当該空間内圧力が高くなった場合、当該空間内の空気やガスは外部に流れ出ることができる。よって、発泡断熱材１３０が充填されない部分が残ったり、発泡断熱材１３０内にボイドが形成されたりするという不具合の発生が防止される。貫通孔Ｈ及び切り起こし部２００の数、すなわち、貫通孔Ｈ及び隙間２３０の数を増やすことによって、内箱１１０と外箱１２０との間の空間と外部とを接続するガス抜き孔として機能する孔の面積を大きくし、上記不具合の発生をより確実に防止できる。
【００２８】
一方、貫通孔Ｈが切り起こし部２００によって内箱１１０と外箱１２０との間の空間側から覆われているため、当該空間内で膨らんだ発泡断熱材１３０は、貫通孔Ｈに直接進入していくことができない。よって、貫通孔Ｈからの発泡断熱材１３０の漏出が防止される。更に、発泡断熱材１３０を構成するセルの粒径よりも隙間２３０の高さを小さくすることによって、発泡断熱材１３０の漏出を、より確実に防止することができる。
【００２９】
また、金属板１２の外側の面は、平らである。よって、仮に、発泡断熱材１３０が外部に漏出したとしても、刃物等で漏出した発泡断熱材１３０を容易にそぎ落とすことができる。
【００３０】
図３Ａ、図３Ｂ及び図３Ｃは、複数の貫通孔Ｈ及び複数の切り起こし部２００の配置例を示す斜視図である。これらの図は、外箱１２０（金属板１２）の外側から見た斜視図である。
【００３１】
図３Ａに示される実施形態においては、５つの貫通孔Ｈが金属板１２上の所定点Ｐを取り囲むように設けられている。また、５つの切り起こし部２００が、それぞれが有する接続部２１２が所定点Ｐから放射状に広がる互いに異なる方向を向くように配置されている。
【００３２】
図３Ｂに示される実施形態においては、３つの貫通孔Ｈが正三角形の辺に沿うように設けられている。また、３つの切り起こし部２００が、それぞれが有する接続部２１２が上記正三角形の辺に沿った方向を向くように配置されている。
【００３３】
図３Ｃに示される実施形態においては、３つの貫通孔が隣接して平行に配置されている。また、３つの切り起こし部２００が隣接して平行に配置されている。
【００３４】
これらの図に示されるように、貫通孔Ｈ及び切り起こし部２００を１箇所に集中的に設けることによって、当該部分における外箱１２０の内外を連通するガス抜き孔として機能する孔の面積を大きくし、当該部分からガスや空気を確実に排出することができる。また、隙間２３０の大きさは変わらないので、発泡断熱材１３０の漏出を防止することができる。更に、仮に、複数の貫通孔Ｈから発泡断熱材１３０が漏出したとしても、１回のそぎ落とし作業で漏出した発泡断熱材１３０をそぎ落とすことができる。
【００３５】
特に、図３Ａ及び図３Ｂに示されるように、複数の切り起こし部２００の向きを互いに異ならせておけば、隙間２３０の向きもそれぞれ異なることとなる。つまり、どの方向から発泡断熱材１３０が進行してきたとしても、いずれかの隙間２３０が発泡断熱材１３０の進行方向と略平行な方向に延在することとなる。よって、充填作業の途中で、１度に全ての隙間２３０が発泡断熱材１３０によって塞がれてしまうことを防止することができる。
【００３６】
また、図３Ａに示される実施形態においては、次のような利点が得られる。
【００３７】
金属板１２の加工時、金属板１２は寝かされた状態で水平方向に搬送される。このとき、搬送方向がいずれの方向であっても、搬送方向の先にある物体（例えば金属板１２の加工装置）に最初に接触するのはいずれかの接続部２１２である。接続部２１２は金属板１２に対して傾斜する傾斜面を有しているので、接続部２１２が当該物体に接触しても、切り起こし部２００は当該物体に引っかからずにこれを乗り越えることができる。つまり、切り起こし部２００又は加工装置が破損したり、金属板１２の搬送が妨げられたりすることを防止することができる。
【００３８】
なお、図３Ａに示される実施形態においては、所定点Ｐの周囲に貫通孔Ｈ及び切り起こし部２００が５つずつ設けられているが、それらの数が５つずつにかぎられないことは勿論である。例えば、貫通孔Ｈ及び切り起こし部２００がそれぞれ３つ、４つ、又は、６つ以上設けられていても良い。
【００３９】
外箱１２０を構成する金属板１２に設けられる切り起こし部の形態は、これまでに説明したものには限られない。以下、他の実施形態について説明する。
【００４０】
図４は、第２の実施形態に係る切り起こし部３００の、外箱１２０（金属板１２）の外側から見た斜視図である。この切り起こし部３００は、円弧状の貫通孔Ｈを覆う円弧状の帯状部３１１と、３つの接続部３１２を有している。
【００４１】
３つの接続部３１２のうちの２つは、帯状部３１１の両端と金属板１２とを接続しており、残りの１つは、帯状部３１１の外周側中央と金属板１２とを接続している。すなわち、帯状部３１１は帯状部３１１の両端を介して金属板１２に接続されている。帯状部３１１は内周面及び外周面がそれぞれ切断面となっている。
【００４２】
帯状部３１１及び接続部３１２と金属板１２との間には、隙間３３０が形成されている。
【００４３】
このような切り起こし部３００を設けることによって、先の実施形態に係る切り起こし部２００と同様の効果を得ることができる。
【００４４】
すなわち、内箱１１０と外箱１２０との間の空間内圧力が高くなっても、当該空間内の空気やガスは隙間３３０及び貫通孔Ｈ通じて外部に流れ出ることができる。よって、発泡断熱材１３０が充填されない部分が残ったり、発泡断熱材１３０内にボイドが形成されたりするという不具合の発生が防止される。
【００４５】
また、貫通孔Ｈが切り起こし部３００によって内箱１１０と外箱１２０との間の空間側から覆われている。よって、貫通孔Ｈからの発泡断熱材１３０の漏出が防止される。
【００４６】
更に、金属板１２の外側の面は、平らである。よって、仮に、発泡断熱材１３０が外部に漏出したとしても、刃物等で漏出した発泡断熱材１３０を容易にそぎ落とすことができる。
【００４７】
図５は、第３の実施形態に係る切り起こし部４００の、外箱１２０（金属板１２）の外側から見た斜視図である。この切り起こし部４００は、環状の貫通孔Ｈを覆う環状の帯状部４１１と、８つの接続部４１２を有している。
【００４８】
８つの接続部４１２のうちの４つは、帯状部４１１の内周側と金属板１２とを接続しており、残りの４つは、帯状部４１１の外周側と金属板１２とを接続している。帯状部４１１は内周面及び外周面がそれぞれ切断面となっている。
【００４９】
帯状部４１１及び接続部４１２と金属板１２との間には、隙間４３０が形成されている。
【００５０】
このような切り起こし部４００を設けることによって、先の実施形態に係る切り起こし部２００と同様の効果を得ることができる。
【００５１】
すなわち、内箱１１０と外箱１２０との間の空間内圧力が高くなっても、当該空間内の空気やガスは隙間４３０及び貫通孔Ｈ通じて外部に流れ出ることができる。よって、発泡断熱材１３０が充填されない部分が残ったり、発泡断熱材１３０内にボイドが形成されたりするという不具合の発生が防止される。
【００５２】
また、貫通孔Ｈが切り起こし部４００によって内箱１１０と外箱１２０との間の空間側から覆われている。よって、貫通孔Ｈからの発泡断熱材１３０の漏出が防止される。
【００５３】
更に、金属板１２の外側の面は、平らである。よって、仮に、発泡断熱材１３０が外部に漏出したとしても、刃物等で漏出した発泡断熱材１３０を容易にそぎ落とすことができる。
【００５４】
図６は、第４の実施形態に係る切り起こし部５００の、外箱１２０（金属板１２）の外側から見た斜視図である。この切り起こし部５００は、矩形の貫通孔Ｈを覆う矩形の突出部５１１と２つの側方接続部５１２Ａと１つの中央接続部５１２Ｂとから構成されている。
【００５５】
突出部５１１は、切り起こし部５００が形成された金属板１２から、金属板１２と平行に、内箱１１０側に向けて突出している。
【００５６】
突出部５１１の４辺のうちの対向する２辺はそれぞれ側方接続部５１２Ａに接続されている。突出部５１１の４辺のうちの他の１辺は中央接続部５１２Ｂに接続されている。側方接続部５１２Ａ及び中央接続部５１２Ｂは突出部５１１と金属板１２とを接続している。
【００５７】
突出部５１１の残りの１辺には、切断面（不図示）が形成されている。切断面が形成されている側において、突出部５１１と金属板１２との間には隙間５３０が形成されている。
【００５８】
このような切り起こし部５００を設けることによって、先の実施形態に係る切り起こし部２００と同様の効果を得ることができる。
【００５９】
すなわち、内箱１１０と外箱１２０との間の空間内圧力が高くなっても、当該空間内の空気やガスは隙間５３０及び貫通孔Ｈ通じて外部に流れ出ることができる。よって、発泡断熱材１３０が充填されない部分が残ったり、発泡断熱材１３０内にボイドが形成されたりするという不具合の発生が防止される。
【００６０】
なお、１つの切り起こし部５００の周囲には隙間５３０が１つしかないが、図６に示されるように、切り起こし部５００を複数設けることによって、内箱１１０と外箱１２０との間の空間と外部とを連通するガス抜き孔として機能する孔に必要な面積を確保することができる。
【００６１】
また、貫通孔Ｈが切り起こし部５００によって内箱１１０と外箱１２０との間の空間側から覆われている。よって、貫通孔Ｈからの発泡断熱材１３０の漏出が防止される。
【００６２】
更に、金属板１２の外側の面は、平らである。よって、仮に、発泡断熱材１３０が外部に漏出したとしても、刃物等で漏出した発泡断熱材１３０を容易にそぎ落とすことができる。
【００６３】
図６に示される実施形態においては、６つの貫通孔Ｈが金属板１２上の所定点Ｐを取り囲むように設けられている。また、６つの切り起こし部５００は、それぞれが有する切断面が所定点Ｐを向くように、すなわち、中央接続部５１２Ｂが所定点Ｐから放射状に広がる互いに異なる方向を向くように配置されている。よって、次のような利点が得られる。
【００６４】
金属板１２の加工時、金属板１２は寝かされた状態で水平方向に搬送される。このとき、搬送方向がいずれの方向であっても、搬送方向の先にある物体（例えば金属板１２の加工装置）に最初に接触するのはいずれかの中央接続部５１２Ｂである。中央接続部５１２Ｂは金属板１２に対して傾斜する傾斜面を有しているので、中央接続部５１２Ｂが当該物体に接触しても、切り起こし部５００は当該物体に引っかからずにこれを乗り越えることができる。つまり、切り起こし部５００又は加工装置が破損したり、金属板１２の搬送が妨げられたりすることを防止することができる。
【００６５】
図７は、第５の実施形態に係る切り起こし部６００の、外箱１２０（金属板１２）の外側から見た斜視図である。この切り起こし部６００は、円弧状の貫通孔Ｈを覆う円弧状の帯状部６１１から構成されている。
【００６６】
図７には示されていないが、帯状部６１１は、円弧の両端部それぞれに、平面である切断面を有し、円弧の内周部に、円筒内面状の切断面を有する。また、帯状部６１１は、円弧の外周側部分において金属板１２に接続されている。すなわち、帯状部６１１は、金属板１２に片持ち状に接続されるとともに、金属板１２に対して傾斜して突出している。
【００６７】
帯状部６１１と金属板１２との間には、隙間６３０が形成されている。
【００６８】
このような切り起こし部６００を設けることによって、先の実施形態に係る切り起こし部２００と同様の効果を得ることができる。
【００６９】
すなわち、内箱１１０と外箱１２０との間の空間内圧力が高くなっても、当該空間内の空気やガスは隙間６３０及び貫通孔Ｈ通じて外部に流れ出ることができる。よって、発泡断熱材１３０が充填されない部分が残ったり、発泡断熱材１３０内にボイドが形成されたりするという不具合の発生が防止される。
【００７０】
また、貫通孔Ｈが切り起こし部６００によって内箱１１０と外箱１２０との間の空間側から覆われているため、当該空間内で膨らんだ発泡断熱材１３０は、貫通孔Ｈに直接進入していくことができない。よって、貫通孔Ｈからの発泡断熱材１３０の漏出が防止される。
【００７１】
更に、金属板１２の外側の面は、平らである。よって、仮に、発泡断熱材１３０が外部に漏出したとしても、刃物等で漏出した発泡断熱材１３０を容易にそぎ落とすことができる。
【００７２】
また、図７に示されるように、金属板１２上の所定点Ｐを取り囲むように複数の貫通孔Ｈを設け、複数の切り起こし部６００を、それぞれが有する帯状部６１１が所定点Ｐから放射状に広がる互いに異なる方向を向くように配置すれば、次のような利点が得られる。
【００７３】
すなわち、寝かされた状態の金属板１２を水平方向に搬送する際、搬送方向がいずれの方向であっても、搬送方向の先にある物体（例えば金属板１２の加工装置）に最初に接触するのはいずれかの帯状部６１１である。帯状部６１１は金属板１２に対して傾斜する傾斜面を有しているので、帯状部６１１が当該物体に接触しても、切り起こし部６００は当該物体に引っかからずにこれを乗り越えることができる。つまり、切り起こし部６００又は加工装置が破損したり、金属板１２の搬送が妨げられたりすることを防止することができる。
【００７４】
本発明に係る断熱箱体が上述した各実施形態に限られず、種々の変更が可能なことは勿論である。例えば、切り起こし部は、外箱１２０（金属板１２）の外側に突出するように設けられていても良い。
【００７５】
また、帯状部と接続部とからなる切り起こし部は、金属板１２から円弧状に突出しても良い。また、切り起こし部は球面の一部を切り取った形状を有する突出部によって構成されていても良い。
【産業上の利用可能性】
【００７６】
本発明によれば、内箱と外箱との間の空間からの発泡断熱材の漏出を防止しつつガス抜きをすることができ、仮に漏出が生じても、漏出した発泡断熱材を容易に除去できる構造を有する断熱箱体を提供することが可能である。よって、その産業上の利用可能性は多大である。
【符号の説明】
【００７７】
１００  断熱箱体
１０１  開口
１１０  内箱
１２０  外箱
１２１  天板
１２２  背板
１２３  底板
１２４  側板
１２  金属板
１３０  発泡断熱材
２００、３００、４００、５００、６００  切り起こし部
２１１、３１１、４１１、６１１  帯状部
５１１  突出部
２１２、３１２、４１２  接続部
５１２Ａ  側方接続部
５１２Ｂ  中央接続部
２２０Ａ、２２０Ｂ  切断面
２３０、３３０、４３０、５３０、６３０  隙間
Ｈ  貫通孔
Ｐ  所定点
【図１Ａ】
2019007673.tif 000003
【図１Ｂ】
2019007673.tif 000004
【図２Ａ】
2019007673.tif 000005
【図２Ｂ】
2019007673.tif 000006
【図２Ｃ】
2019007673.tif 000007
【図２Ｄ】
2019007673.tif 000008
【図３Ａ】
2019007673.tif 000009
【図３Ｂ】
2019007673.tif 000010
【図３Ｃ】
2019007673.tif 000011
【図４】
2019007673.tif 000012
【図５】
2019007673.tif 000013
【図６】
2019007673.tif 000014
【図７】
2019007673.tif 000015